(57)【要約】  系統連系される蓄電池と、前記蓄電池と系統とを繋ぐ電路に設けられた前記電路の電流を検出する第１の電流センサと、を備え、前記電路に１又は複数の発電装置が接続される蓄電池システムであって、前記第１の電流センサとの間に、前記１又は複数の発電装置が接続されるように前記電路に設けられた第２の電流センサと、前記第１の電流センサ及び前記第２の電流センサから得られる出力に基づいて、前記１又は複数の発電装置の発電電力を求める制御部と、を備えている。
2018221347.tif 000002
【特許請求の範囲】
【請求項１】
系統連系される蓄電池と、前記蓄電池と系統とを繋ぐ電路に設けられた前記電路の電流を検出する第１の電流センサと、を備え、前記電路に１又は複数の発電装置が接続される蓄電池システムであって、
前記第１の電流センサとの間に、前記１又は複数の発電装置が接続されるように前記電路に設けられた第２の電流センサと、
前記第１の電流センサ及び前記第２の電流センサから得られる出力に基づいて、前記１又は複数の発電装置の発電電力を求める制御部と、を備えている蓄電池システム。
【請求項２】
前記制御部は、前記第１の電流センサによる出力に基づいて得られる電力と、前記第２の電流センサによる出力に基づいて得られる電力との差を前記１又は複数の発電装置の発電電力として求める
請求項１に記載の蓄電池システム。
【請求項３】
前記電路は、中性線を含む単相３線式であり、
前記第２の電流センサは、前記中性線以外の２つの電力線の内の一方の電力線に設けられている
請求項１又は請求項２に記載の蓄電池システム。
【請求項４】
前記電路は、中性線を含む単相３線式であり、
前記第２の電流センサは、前記中性線以外の２つの電力線の両方に設けられている
請求項１又は請求項２に記載の蓄電池システム。
【請求項５】
前記第２の電流センサは、前記第１の電流センサよりも前記系統側に設けられている請求項１から請求項４のいずれか一項に記載の蓄電池システム。
【請求項６】
系統連系される蓄電池と、前記蓄電池と系統とを繋ぐ電路に設けられた前記電路の電流を検出する第１の電流センサと、を備えた蓄電池システムであって、前記電路に１又は複数の発電装置が接続される蓄電池システムに用いられる電力表示装置であって、
前記第１の電流センサとの間に、前記１又は複数の発電装置が接続されるように前記電路に設けられた第２の電流センサと、
前記第１の電流センサ及び前記第２の電流センサから得られる出力に基づいて、前記１又は複数の発電装置に関する発電電力を求める制御部と、を備えている電力表示装置。
【発明の詳細な説明】
【技術分野】
【０００１】
本発明は、蓄電池システム、及び電力表示装置に関する。
本出願は、２０１７年５月２９日出願の日本出願第２０１７−１０５５３０号に基づく優先権を主張し、前記日本出願に記載された全ての記載内容を援用するものである。
【背景技術】
【０００２】
一般家庭等に設置される太陽光発電装置等の発電装置は、蓄電池システムと組み合わせて用いられることがある。
このような発電装置と組み合わせて用いられる蓄電池システムには、発電装置が有するパワーコンディショナを利用して系統連系するものの他（例えば、特許文献１参照）、蓄電池システムがパワーコンディショナを備えることで系統連系し、自立的に稼働可能なものもある。【０００３】
パワーコンディショナを備え自立的に稼働可能な蓄電池システムは、一般に、需要家内における現在の放電（又は発電）電力や、売買電力、需要家内の電力消費を表示するための電力表示装置を備えている。
蓄電池システムは、自システムの電力が逆潮しないように制御する必要があるため、逆電流を検出するための逆電流検出センサを備えている。
蓄電池システム以外の他の発電装置が設置されていなければ、電力表示装置は、この逆電流検出センサの出力と、自システムの発電電力とに基づいて、上述の各種電力を求め表示することができる。
【先行技術文献】
【特許文献】
【０００４】
【特許文献１】特開２０１６−０６３７２２号公報
【発明の概要】
【０００５】
（１）一実施態様である蓄電池システムは、系統連系される蓄電池と、前記蓄電池と系統とを繋ぐ電路に設けられた前記電路の電流を検出する第１の電流センサと、を備え、前記電路に１又は複数の発電装置が接続される蓄電池システムであって、前記第１の電流センサとの間に、前記１又は複数の発電装置が接続されるように前記電路に設けられた第２の電流センサと、前記第１の電流センサ及び前記第２の電流センサから得られる出力に基づいて、前記１又は複数の発電装置の発電電力を求める制御部と、を備えている。
【０００６】
（２）また、他の実施態様である電力表示装置は、系統連系される蓄電池と、前記蓄電池と系統とを繋ぐ電路に設けられた前記電路の電流を検出する第１の電流センサと、を備えた蓄電池システムであって、前記電路に１又は複数の発電装置が接続される蓄電池システムに用いられる電力表示装置であって、前記第１の電流センサとの間に、前記１又は複数の発電装置が接続されるように前記電路に設けられた第２の電流センサと、前記第１の電流センサ及び前記第２の電流センサから得られる出力に基づいて、前記１又は複数の発電装置に関する発電電力を求める制御部と、を備えている。
【図面の簡単な説明】
【０００７】
【図１】図１は、第１実施形態に係る蓄電池システムが設置された需要家内の機器構成を示す図である。
【図２】図２は、リモコン部１１の操作パネルの正面図である。
【図３】図３は、第１実施形態の変形例に係る需要家内の機器構成を示す図である。
【図４】図４は、第２実施形態に係る蓄電池システムが設置された需要家内の機器構成を示す図である。
【図５】図５は、第３実施形態に係る蓄電池システムが設置された需要家内の機器構成を示す図である。
【図６】図６Ａは、既存の蓄電池システムに加えて発電装置を増設した場合の従来の構成例を示す図、図６Ｂは、既存の蓄電池システムに加えて発電装置を増設した場合の従来の他の構成例を示す図である。
【発明を実施するための形態】
【０００８】
［本開示が解決しようとする課題］
近年、発電装置（蓄電池システム）を設置した後、さらに発電装置を増設することで需要家内の発電装置の構成を拡張することが行われることがある。
例えば、自立的に稼働可能な上述の蓄電池システムが設置されている需要家内に新たな発電装置を増設する場合、蓄電池システムの電力表示装置に、増設された新たな発電装置の発電電力を表示させるには、蓄電池システムに新たな発電装置の発電電力を取得させる必要がある。
このような場合、蓄電池システムにおいては、新たな発電装置を系統へ繋ぐための線路にセンサを設けることで、新たな発電装置の発電電力に関する情報を取得していた。
【０００９】
図６Ａは、既存の蓄電池システムに加えて発電装置を増設した場合の従来の構成例を示す図である。
図６Ａに示す構成は、いわゆるシングル発電の場合を示している。図６Ａに示すように、蓄電池システム１００は、商用電力系統１０１と、需要家内の負荷１０２とを繋ぐ電路１０３に接続されている。新たに設置された発電装置１０４は、例えば、太陽光発電装置や燃料電池発電装置等であり、蓄電池システム１００と商用電力系統との間に接続されている。蓄電池システム１００が有する逆電力検出用の電流センサ１０５は、発電装置１０４と商用電力系統１０１との間に接続されている。
【００１０】
蓄電池システム１００は、発電装置１０４による発電電力を検出するために、電路１０３と発電装置１０４との間に設けられた電流センサ１０６を備えている。
蓄電システム１００の電力表示装置は電流センサ１０６によって、増設された発電装置１０４による発電電力に関する情報を取得し、増設された発電装置１０４の発電電力を表示するように構成されている。
【００１１】
また、図６Ｂは、既存の蓄電池システムに加えて発電装置を増設した場合の従来の他の構成例を示す図である。
図６Ｂに示す構成は、いわゆるダブル発電の場合を示している。図６Ｂに示すように、新たに設置された発電装置１０４は、逆電力検出用の電流センサ１０５と商用電力系統１０１との間に接続されている。
この場合も、蓄電池システム１００は、発電装置１０４による発電量を検出するために、電路１０５と発電装置１０４との間に設けられた電流センサ１０６を備えている。
【００１２】
上記図６Ａ及び図６Ｂに示した構成では、発電装置を増設するごとに、蓄電池システム１００（の電力表示装置）においては、新たな発電装置のための電流センサを設けなければ、新たな発電装置の発電電力を求めることができず、適切な表示を行うことができない。
このため、新たに発電装置を増設するごとに電流センサを設置するためのコストが発生し、多数の発電装置を増設した場合、そのコストは過大なものとなる。
【００１３】
本開示はこのような事情に鑑みてなされたものであり、低コストで発電装置の増設に対応した表示を行うことができる蓄電池システム及び電力表示装置を提供することを目的とする。
【００１４】
［本開示の効果］
本開示によれば、低コストで発電装置の増設に対応した表示を行うことができる。
【００１５】
［実施形態の説明］
以下に実施形態の内容を列記して説明する。
（１）一実施態様である蓄電池システムは、系統連系される蓄電池と、前記蓄電池と系統とを繋ぐ電路に設けられた前記電路の電流を検出する第１の電流センサと、を備え、前記電路に１又は複数の発電装置が接続される蓄電池システムであって、前記第１の電流センサとの間に、前記１又は複数の発電装置が接続されるように前記電路に設けられた第２の電流センサと、前記第１の電流センサ及び前記第２の電流センサから得られる出力に基づいて、前記１又は複数の発電装置の発電電力を求める制御部と、を備えている。
【００１６】
上記構成の蓄電池システムによれば、第１の電流センサとの間に１又は複数の発電装置が接続されるように第２の電流センサを電路に設けたので、新たな発電装置が増設されたとしても、増設された発電装置に対応して電流センサを新たに設けずとも、制御部は第１の電流センサの出力及び第２の電流センサの出力に基づいて、１又は複数の発電装置による発電電力を求めることができる。この結果、低コストで発電装置の増設に対応した表示を行うことができる。
【００１７】
（２）上記蓄電池システムにおいて、前記制御部は、前記第１の電流センサによる出力に基づいて得られる電力と、前記第２の電流センサによる出力に基づいて得られる電力との差を前記１又は複数の発電装置の発電電力として求めることが好ましい。
【００１８】
（３）上記蓄電池システムにおいて、前記電路は、中性線を含む単相３線式であり、前記第２の電流センサは、前記中性線以外の２つの電力線の内の一方の電力線に設けられていることが好ましい。
この場合、最小限の構成で適切な表示を行うことができる。
【００１９】
（４）上記蓄電池システムにおいて、前記電路は、中性線を含む単相３線式であり、前記第２の電流センサは、前記中性線以外の２つの電力線の両方に設けられていてもよい。
この場合、より精度よく１又は複数の発電装置の発電電力を求めることができる。
【００２０】
（５）上記蓄電池システムにおいて、前記第２の電流センサは、前記第１の電流センサよりも前記系統側に設けられていることがある。この構成は、蓄電池システムと、１又は複数の発電装置が発電しているときに蓄電池システムも放電を行うように制御するいわゆるダブル発電が採用されたシステムに適用することができる。
【００２１】
（６）また、他の実施態様である電力表示装置は、系統連系される蓄電池と、前記蓄電池と系統とを繋ぐ電路に設けられた前記電路の電流を検出する第１の電流センサと、を備えた蓄電池システムであって、前記電路に１又は複数の発電装置が接続される蓄電池システムに用いられる電力表示装置であって、前記第１の電流センサとの間に、前記１又は複数の発電装置が接続されるように前記電路に設けられた第２の電流センサと、前記第１の電流センサ及び前記第２の電流センサから得られる出力に基づいて、前記１又は複数の発電装置に関する発電電力を求める制御部と、を備えている。
【００２２】
［実施形態の詳細］
以下、好ましい実施形態について図面を参照しつつ説明する。
なお、以下に記載する各実施形態の少なくとも一部を任意に組み合わせてもよい。
【００２３】
〔第１実施形態について〕
図１は、第１実施形態に係る蓄電池システム１が設置された需要家内の機器構成を示す図である。
図１に示すように、蓄電池システム１は、商用電力系統２と、需要家内の一般負荷３とを繋ぐ電路４に接続されている。
【００２４】
電路４は、単相３線式であり、ｗ相である第１電力線４ａと、ｕ相である第２電力線４ｂと、中性線である第３電力線４ｃとを含む。
【００２５】
電路４には、蓄電池システム１の他に、第１発電装置５と、第２発電装置６とが接続されている。第１発電装置５、及び第２発電装置６は、例えば、太陽光発電装置や燃料電池発電装置等である。第１発電装置５、及び第２発電装置６は、蓄電池システム１が設置された後に増設されたものであり、電路４において第１電力線４ａ及び第２電力線４ｂの２線間に接続されている。
また、第１発電装置５、及び第２発電装置６は、電路４における蓄電池システム１が接続されている接続部１ａと商用電力系統２との間の位置に接続されている。
【００２６】
第１発電装置５、及び第２発電装置６は、商用電力系統２に系統連系するためのパワーコンディショナ（図示せず）と、発電を行う発電部とを備えており、発電部が発電した発電電力を電路４を介して一般負荷３へ供給するように構成されている。
【００２７】
また、第１発電装置５、及び第２発電装置６は、発電電力を商用電力系統２側へ逆潮させて売電可能に構成されている場合と、逆潮を制限して売電できないように構成されている場合とがある。
逆潮を制限して売電できないように構成されている場合、第１発電装置５、及び第２発電装置６は、自装置の発電電力が逆潮するのを検知するためのセンサ（図示省略）を有している。このセンサは、第１電力線４ａ、及び第２電力線４ｂに設けられている。第１発電装置５、及び第２発電装置６は、例えば、前記センサの出力及び自装置の発電電力に基づいて、自装置の発電電力が逆潮しないように負荷追従制御を行うように構成される。
なお本実施形態では、第１発電装置５が発電電力を商用電力系統２側へ逆潮させて売電可能に構成され、第２発電装置６が逆潮を制限して売電できないように構成されている場合について示している。
【００２８】
蓄電池システム１は、第１電圧センサ１４及び第２電圧センサ１５を有する本体部１０と、リモコン部１１と、逆電流検出センサ１２と、発電電力検出用電流センサ１３とを備えている。蓄電池システム１は、後述するように本体部１０に蓄電池１０ｂを備えており、蓄電池１０ｂの放電電力を電路４を介して一般負荷３へ供給するとともに、電路４における電力を蓄電するように構成されている。
【００２９】
逆電流検出センサ１２は、自システム１の放電電流が商用電力系統２側へ流れる逆電流を検出するためのセンサであり、電路４における蓄電池システム１が接続されている接続部１ａと第１発電装置５が接続されている接続部５ａとの間に設けられている。逆電流検出センサ１２は、第１電流センサ１２ａと、第２電流センサ１２ｂとを含む。
第１電流センサ１２ａは、第１電力線４ａに設けられている。第２電流センサ１２ｂは、第２電力線４ｂに設けられている。
第１電流センサ１２ａは、本体部１０に接続されており、第１電力線４ａの電流を検出した結果であるセンサ出力を本体部１０へ与える。第２電流センサ１２ｂも、本体部１０に接続されており、第２電力線４ｂの電流を検出した結果であるセンサ出力を本体部１０へ与える。
【００３０】
発電電力検出用電流センサ１３は、自システム１以外の発電装置の発電電力を求めるために必要な電流を検出するためのセンサであり、電路４において第２発電装置６が接続されている接続部６ａと商用電力系統２との間に設けられている。より具体的に、発電電力検出用電流センサ１３は、例えば、需要家内に設けられた分電盤１６における１次側配線に設けられている。
【００３１】
発電電力検出用電流センサ１３は、第２電力線４ｂに設けられている。
発電電力検出用電流センサ１３は、本体部１０に接続されており、電流を検出した結果であるセンサ出力を本体部１０へ与える。
【００３２】
各電流センサ１２ａ，１２ｂ，１３は、例えば、ＣＴ（Ｃｕｒｒｅｎｔ  Ｔｒａｎｓｆｏｒｍｅｒ）等により構成されている。
【００３３】
第１電圧センサ１４は、第１電力線４ａと第３電力線４ｃとの間に接続されている。第１電圧センサ１４は、第１電力線４ａと第３電力線４ｃとの間の電圧を検出した結果であるセンサ出力を本体部１０の後述する表示制御部１０ｃへ与える。
第２電圧センサ１５は、第２電力線４ｂと第３電力線４ｃとの間に接続されている。第２電圧センサ１５は、第２電力線４ｂと第３電力線４ｃとの間の電圧を検出した結果であるセンサ出力を本体部１０の後述する表示制御部１０ｃへ与える。
【００３４】
本体部１０は、パワーコンディショナ１０ａと、蓄電池１０ｂと、表示制御部１０ｃとを備えている。
蓄電池１０ｂは、例えば、リチウムイオン電池等の二次電池である。蓄電池１０ｂは、パワーコンディショナ１０ａを介して系統連系され、第１電力線４ａ及び第２電力線４ｂを介して放電電力を一般負荷３へ供給するとともに、第１電力線４ａ及び第２電力線４ｂに流れる電力を蓄電する。
【００３５】
パワーコンディショナ１０ａ（以下、ＰＣＳ１０ａともいう）は、第１電力線４ａ及び第２電力線４ｂに接続され、蓄電池１０ｂを商用電力系統２に対して系統連系する機能を有している。また、各センサ１２，１３，１４，１５の値等に基づいて、蓄電池１０ｂの充放電に関する制御を行う機能を有している。
ＰＣＳ１０ａは、逆電流検出センサ１２をはじめ前記各センサの出力及び自装置の放電電力に基づいて、自システム１（蓄電池１０ｂ）の放電電力が逆潮しないように負荷追従制御を行うように構成されている。
【００３６】
なお、本実施形態では、第１発電装置５が発電しているときに蓄電池システム１も放電を行う、いわゆるダブル発電が採用されている。
よって、第１発電装置５が発電しているときにおいても、ＰＣＳ１０ａは、蓄電池１０ｂの放電電力について制御を行う。
【００３７】
本実施形態では、発電電力検出用電流センサ１３を、逆電流検出センサ１２よりも商用電力系統２側に設けたことにより、ダブル発電を採用することができる。逆電流検出センサ１２に蓄電池システム１の放電電力の逆潮のみを検出させることができるからである。
【００３８】
表示制御部１０ｃは、各センサ１２，１３，１４，１５から与えられるセンサ出力等に基づいて、自システム１が設置されている需要家内における各種電力（発電電力、消費電力、売買電力、及び蓄電池１０ｂの充放電電力）それぞれの値を求める。表示制御部１０ｃはこれら各種電力の値を求めると、各種電力の値を示す電力情報をリモコン部１１に与えて表示させる機能を有している。つまり、表示制御部１０ｃは、上記センサ出力に基づいて、第１発電装置５及び第２発電装置６の発電電力の表示に関する制御を行う制御部を構成している。
【００３９】
リモコン部１１は、蓄電池システム１の操作者からの操作入力を受け付ける機能を有するとともに、各種情報を操作者に表示する機能を有している。リモコン部１１は、操作者からの操作入力を受け付けるための入力部２０と、操作者へ向けて各種情報を表示するための出力部２１とを有している。
【００４０】
図２は、リモコン部１１の操作パネルの正面図である。
図２に示すように、リモコン部１１の操作パネル２２には、操作者により操作される操作スイッチ群２３と、液晶表示装置２４と、４つの表示切替スイッチ２５とが設けられている。
入力部２０（図１）は、操作パネル２２の操作スイッチ群２３を含んで構成されている。入力部２０は、操作スイッチ群２３により操作者による操作入力を受け付ける。入力部２０は、受け付けた操作者による操作入力に対応する命令を本体部１０のＰＣＳ１０ａに与える。
前記命令を受け付けたＰＣＳ１０ａは、当該命令に基づいた動作を行う。
【００４１】
出力部２１（図１）は、操作パネル２２の液晶表示装置２４及び表示切替スイッチ２５を含んで構成されている。出力部２１は、表示制御部１０ｃから与えられる電力情報を受け付けると、電力情報が示す各種電力の値を液晶表示装置２４に表示させる。表示切替スイッチ２５は、需要家内の発電電力、消費電力、売買電力、及び蓄電池１０ｂの充放電電力に対応する４つのスイッチにより構成されている。
表示切替スイッチ２５は、需要家内の発電電力、消費電力、売買電力、及び蓄電池１０ｂの充放電電力の内、いずれの電力の値を液晶表示装置２４に表示させるかについて、４つのスイッチによって操作者による選択操作を受け付ける。
【００４２】
表示切替スイッチ２５の内、例えば、操作者が「発電」を押下した場合、出力部２１は、需要家内の発電電力を液晶表示装置２４に表示させる。操作者が「消費」を押下した場合、出力部２１は、需要家内の消費電力を液晶表示装置２４に表示させる。出力部２１は、各種電力を示す情報を操作者の切り替えに応じて液晶表示装置２４に表示させる。
【００４３】
このように、蓄電池システム１において、本体部１０の表示制御部１０ｃと、リモコン部１１の出力部２１とは、需要家内における各種電力の値を表示する電力表示装置３０を構成している。
【００４４】
表示制御部１０ｃは、上述したように、各センサ１２，１３，１４，１５から与えられるセンサ出力等に基づいて、自システム１が設置されている需要家内における各種電力（発電電力、消費電力、売買電力、及び蓄電池１０ｂの充放電電力）それぞれの値を求める。
【００４５】
各センサからのセンサ出力によって求められる各値、及び自システム１の放電電力を下記のように表す。
【００４６】
第１電流センサ１２ａによって検出される電流値    ：Ｉｗ１
第２電流センサ１２ｂによって検出される電流値    ：Ｉｕ１
第２電力線４ｂに設けられた発電電力検出用電流センサ１３によって検出
される電流値                                      ：Ｉｕ２
第１電圧センサ１４によって検出される電圧値      ：Ｖｗ
第２電圧センサ１５によって検出される電圧値      ：Ｖｕ
自システム１の放電電力                          ：Ｐｉｎｖ
【００４７】
なお、上記各値Ｉｗ１，Ｉｕ１，Ｉｕ２，Ｐｉｎｖは、図１中、各電流センサ１２ａ，１２ｂ，１３、及び蓄電池システム１それぞれの近傍に付した矢印の方向に電流が流れる場合に正の値を示す。
【００４８】
表示制御部１０ｃは、第２発電装置６及び第１発電装置５の発電電力を下記式（１）に基づいて求める。
発電電力  ＝  （Ｉｕ２−Ｉｕ１）×（Ｖｕ＋Ｖｗ）      ・・・（１）
【００４９】
式（１）に示すように、表示制御部１０ｃは、第１電力線４ａにおける発電電力検出用電流センサ１３の位置に対応する位置に流れる電流が発電電力検出用電流センサ１３と同じ値と仮定して電力を求める。表示制御部１０ｃは、発電電力検出用電流センサ１３によるセンサ出力に基づいて得られる電力と、逆電流検出センサ１２によるセンサ出力に基づいて得られる電力との差を第２発電装置６及び第１発電装置５の発電電力として求める。
【００５０】
また、表示制御部１０ｃは、需要家内における消費電力（一般負荷３の消費電力）を下記式（２）に基づいて求める。
消費電力  ＝  Ｐｉｎｖ  −  Ｐｇｒｉｄ      ・・・（２）
なお、Ｐｇｒｉｄは、逆電流検出センサ１２によって検出される電力であり、下記式（３）のように表される。
Ｐｇｒｉｄ  ＝  Ｉｗ１×Ｖｗ  ＋  Ｉｕ１×Ｖｕ      ・・・（３）
【００５１】
売買電力については、第１電力線４ａにおけるＩｕ２に対応する値は、第１発電装置５及び第２発電装置６の発電電力（Ｉｕ２−Ｉｕ１）と、第１電流センサ１２ａによって検出される電流値Ｉｗ１とを加算した値である。
よって、表示制御部１０ｃは、売買電力を下記式（４）に基づいて求める。
売買電力  ＝  （Ｉｗ１＋（Ｉｕ２−Ｉｕ１））×Ｖｗ
＋  Ｉｕ２×Ｖｕ      ・・・（４）
【００５２】
なお上述の各電力の内、Ｐｇｒｉｄは、電流が逆潮方向の場合に正の値を示す。
また、発電電力は、発電している場合に正の値を示す。
また、自システム１の放電電力Ｐｉｎｖは、放電している場合に正の値を示す。
また、売買電力は、電流が逆潮方向の場合に正の値を示す。
【００５３】
表示制御部１０ｃは、上述の式（１）から式（４）に基づいて各種電力それぞれの値を求め、出力部２１の液晶表示装置２４に表示させる。
ここで、表示制御部１０ｃは、発電電力として、第２発電装置６の発電電力と第１発電装置５の発電電力とを合算した値を求めるように構成されている。
【００５４】
本実施形態の蓄電池システム１が有する発電電力検出用電流センサ１３は、逆電流検出センサ１２との間に、第２発電装置６及び第１発電装置５が接続されるように電路４に設けられている。つまり、発電電力検出用電流センサ１３は、電路４における第１発電装置５の接続部５ａ及び第２発電装置６の接続部６ａが逆電流検出センサ１２と、発電電力検出用電流センサ１３との間に位置するように電路４に設けられている。
【００５５】
このため、表示制御部１０ｃは、発電電力検出用電流センサ１３と逆電流検出センサ１２とのセンサ出力に対して上記式（１）を適用することで、第２発電装置６の発電電力と第１発電装置５の発電電力とを合算した発電電力を求めることができる。
つまり、表示制御部１０ｃは、発電電力検出用電流センサ１３によるセンサ出力に基づいて得られる電力と、逆電流検出センサ１２によるセンサ出力に基づいて得られる電力との差を、両発電装置５，６それぞれの発電電力を合算した発電電力として求める。
【００５６】
この場合、表示制御部１０ｃは、蓄電池システム１を設置した後に増設された第２発電装置６及び第１発電装置５それぞれに対して電流センサを設けずとも、合算した発電電力を求めることができる。
【００５７】
また、さらに新たに発電装置を増設する場合にも、発電電力検出用電流センサ１３と逆電流検出センサ１２との間に、増設する新たな発電装置を接続すれば、増設された発電装置に対応して電流センサを新たに設けずとも、表示制御部１０ｃは、発電電力検出用電流センサ１３のセンサ出力及び逆電流検出センサ１２のセンサ出力に基づいて、第２発電装置６、第１発電装置５、及び増設された発電装置それぞれの発電電力を合算した発電電力を求めることができる。
【００５８】
よって、表示制御部１０ｃは、リモコン部１１の液晶表示装置２４に、増設された発電装置の発電電力を含む各発電装置それぞれの発電電力を合算した発電電力を表示させることができる。
この結果、本実施形態のシステム（の電力表示装置３０）によれば、新たに発電装置を増設した場合であっても、電流センサ等を追加することなく、低コストで発電装置の増設に対応した表示を行うことができる。
【００５９】
また、本実施形態では、ｕ相である第２電力線４ｂのみに発電電力検出用電流センサ１３を設けたので、最小限の構成で適切な表示を行うことができる。
【００６０】
なお、図３に示すように、ｗ相である第１電力線４ａにも発電電力検出用電流センサを設けた構成としてもよい。この場合、発電電力検出用電流センサ１３は、ｗ相である第１電力線４ａに設けられた第１センサ１３ａと、ｕ相である第２電力線４ｂに設けられた第２センサ１３ｂとによって構成される。
【００６１】
この場合、表示制御部１０ｃは、第２発電装置６及び第１発電装置５それぞれの発電電力を合算した発電電力を下記式（５）に基づいて求める。
発電電力  ＝  （Ｐｇｒｉｄ＿ｗ＿２  −  Ｐｇｒｉｄ＿ｗ＿１）
＋  （Ｐｇｒｉｄ＿ｕ＿２  −  Ｐｇｒｉｄ＿ｕ＿１）
・・・（５）
【００６２】
なお、Ｐｇｒｉｄ＿ｗ＿２は、第１電力線４ａに設けられた第１センサ１３ａによって検出される電力であり、下記式（６）のように表される。
Ｐｇｒｉｄ＿ｗ＿２  ＝  Ｉｗ２×Ｖｗ      ・・・（６）
【００６３】
上記式（６）中、Ｉｗ２は、第１センサ１３ａによって検出される電流値である。
また、Ｐｇｒｉｄ＿ｗ＿１は、逆電流検出センサ１２の第１電流センサ１２ａによって検出される電力であり、下記式（７）のように表される。
Ｐｇｒｉｄ＿ｗ＿１  ＝  Ｉｗ１×Ｖｗ      ・・・（７）
上記式（７）中、Ｉｗ１は、第１電流センサ１２ａによって検出される電流値であり、上記実施形態と同様の値である。
【００６４】
また、Ｐｇｒｉｄ＿ｕ＿２は、第２電力線４ｂに設けられた第２センサ１３ｂによって検出される電力であり、下記式（８）のように表される。
Ｐｇｒｉｄ＿ｕ＿２  ＝  Ｉｕ２×Ｖｕ      ・・・（８）
【００６５】
上記式（８）中、Ｉｕ２は、第１センサ１３ａによって検出される電流値であり、上記実施形態における第２電力線４ｂに設けられた発電電力検出用電流センサ１３によって検出される電流値と同じ値である。
また、Ｐｇｒｉｄ＿ｕ＿１は、逆電流検出センサ１２の第２電流センサ１２ｂによって検出される電力であり、下記式（９）のように表される。
Ｐｇｒｉｄ＿ｕ＿１  ＝  Ｉｕ１×Ｖｕ      ・・・（９）
上記式（９）中、Ｉｕ１は、第２電流センサ１２ｂによって検出される電流値であり、上記実施形態と同様の値である。
【００６６】
また、表示制御部１０ｃは、売買電力を下記式（１０）に基づいて求める。
売買電力  ＝  Ｐｇｒｉｄ＿ｗ＿２  
＋  Ｐｇｒｉｄ＿ｕ＿２      ・・・（１０）
【００６７】
図３に示すように、発電電力検出用電流センサ１３を、ｗ相である第１電力線４ａ、及びｕ相である第２電力線４ｂに設けた場合、ｕ相及びｗ相の両方について電力を測定することができるので、より精度よく両発電装置５，６それぞれの発電電力を合算した発電電力を求めることができる。
【００６８】
〔第２実施形態について〕
図４は、第２実施形態に係る蓄電池システム１が設置された需要家内の機器構成を示す図である。
本実施形態は、逆電流検出センサ１２が、電路４における第１発電装置５の接続部５ａと、第２発電装置６の接続部６ａとの間の位置に設けられている点、及び、電路４の第２電力線４ｂと第１発電装置５とを接続する分岐線１７に第１発電装置５の発電電力を検出するための電流センサ１８が設けられている点において、第１実施形態と相違している。その他の構成は、第１実施形態と同様である。
【００６９】
本実施形態では、第１発電装置５が発電電力を供給しているときには蓄電池システム１の放電を行わず、蓄電池システム１が放電しているときには第１発電装置５による電力供給を行わない、いわゆるシングル発電が採用されている。
よって、蓄電池システム１のＰＣＳ１０ａは、電流センサ１８から与えられるセンサ出力に基づいて第１発電装置５が発電電力を供給しているか否かを判定する。ＰＣＳ１０ａは、第１発電装置５が電力供給を行っているときには放電を行わず、第１発電装置５が電力供給を行っていないときに放電するように蓄電池１０ｂの充放電を制御する。
【００７０】
本実施形態においても、発電電力検出用電流センサ１３は、逆電流検出センサ１２との間に、第２発電装置６が接続されるように電路４に設けられている。つまり、電路４における第２発電装置６の接続部６ａは、逆電流検出センサ１２と、発電電力検出用電流センサ１３との間に設けられている。
【００７１】
よって、新たに発電装置を増設する場合にも、発電電力検出用電流センサ１３と逆電流検出センサ１２との間に、増設する新たな発電装置を接続すれば、増設された新たな発電装置に対応して電流センサを新たに設けずとも、表示制御部１０ｃは、発電電力検出用電流センサ１３のセンサ出力及び逆電流検出センサ１２のセンサ出力に基づいて、第２発電装置６、及び増設された発電装置それぞれの発電電力を合算した発電電力を求めることができる。この結果、低コストで発電装置の増設に対応した表示を行うことができる。
【００７２】
〔第３実施形態について〕
図５は、第３実施形態に係る蓄電池システム１が設置された需要家内の機器構成を示す図である。
本実施形態は、第１発電装置５のみが電路４に接続されている点、逆電流検出センサ１２が電路４における第１発電装置５の接続部５ａと商用電力系統２との間に設けられている点、及び、発電電力検出用電流センサ１３が電路４における蓄電池システム１の接続部１ａと第１発電装置５の接続部５ａとの間に設けられている点において、第１実施形態と相違している。
【００７３】
本実施形態では、第２実施形態と同様シングル発電が採用されている。蓄電池システム１のＰＣＳ１０ａは、発電電力検出用電流センサ１３及び逆電流検出センサ１２のセンサ出力より第１発電装置５の発電電力を求めることができる。よって、ＰＣＳ１０ａは、発電電力検出用電流センサ１３及び逆電流検出センサ１２のセンサ出力に基づいて第１発電装置５が発電電力を供給しているか否かを判定する。
ＰＣＳ１０ａは、第１発電装置５が電力供給を行っているときには放電を行わず、第１発電装置５が電力供給を行っていないときに放電するように蓄電池１０ｂの充放電を制御する。
【００７４】
本実施形態では、シングル発電を採用しているため、逆電流検出センサ１２に蓄電池システム１の放電電力の逆潮のみを検出させる必要がない。よって、逆電流検出センサ１２を、発電電力検出用電流センサ１３よりも商用電力系統２側に設けている。
【００７５】
本実施形態においても、発電電力検出用電流センサ１３は、逆電流検出センサ１２との間に、第１発電装置５が接続されるように電路４に設けられている。つまり、電路４における第１発電装置５の接続部５ａは、逆電流検出センサ１２と、発電電力検出用電流センサ１３との間に設けられている。
【００７６】
よって、新たに発電装置を増設する場合にも、発電電力検出用電流センサ１３と逆電流検出センサ１２との間に、増設する新たな発電装置を接続すれば、増設された新たな発電装置に対応して電流センサを新たに設けずとも、表示制御部１０ｃは、発電電力を適切に表示することができる。
【００７７】
なお、本実施形態では、逆電流検出センサ１２と、発電電力検出用電流センサ１３との間に増設される新たな発電装置としては、太陽光発電装置に限られる。蓄電池システム１のＰＣＳ１０ａが、シングル発電としての制御を行うために、太陽光発電装置が発電電力を供給しているか否かを判定する必要があるからである。
【００７８】
〔その他〕
なお、今回開示された実施の形態はすべての点で例示であって制限的なものではないと考えられるべきである。
各実施形態における第１発電装置５及び第２発電装置６は、太陽光発電装置や、燃料電池発電装置といった発電装置であればよく、異なる種類の発電装置の組み合わせの他、同じ種類の発電装置を組み合わせてもよく、組み合わせについて制限されることはない。
【００７９】
また、図１、図４、及び図５では、発電電力検出用電流センサ１３を第２電力線４ｂにのみ設けた場合を示したが、第１電力線４ａにのみ設けてもよい。
【００８０】
本発明の範囲は、上記した意味ではなく、請求の範囲によって示され、請求の範囲と均等の意味、及び範囲内でのすべての変更が含まれることが意図される。
【符号の説明】
【００８１】
１  蓄電池システム
１ａ  接続部
２  商用電力系統
３  一般負荷
４  電路
４ａ  第１電力線
４ｂ  第２電力線
４ｃ  第３電力線
５  第１発電装置
５ａ  接続部
６  第２発電装置
６ａ  接続部
１０  本体部
１０ａ  パワーコンディショナ
１０ｂ  蓄電池
１０ｃ  表示制御部
１１  リモコン部
１２  逆電流検出センサ
１２ａ  第１電流センサ
１２ｂ  第２電流センサ
１３  発電電力検出用電流センサ
１３ａ  第１センサ
１３ｂ  第２センサ
１４  第１電圧センサ
１５  第２電圧センサ
１６  分電盤
１７  分岐線
１８  電流センサ
２０  入力部
２１  出力部
２２  操作パネル
２３  操作スイッチ群
２４  液晶表示装置
２５  表示切替スイッチ
３０  電力表示装置
【図１】
2018221347.tif 000003
【図２】
2018221347.tif 000004
【図３】
2018221347.tif 000005
【図４】
2018221347.tif 000006
【図５】
2018221347.tif 000007
【図６】
2018221347.tif 000008
【国際調査報告】
2018221347.tif 000009
2018221347.tif 000010
2018221347.tif 000011
2018221347.tif 000012